(57)【要約】 【課題】浴槽への温水供給完了後の沸き上げ時間を短くできる風呂自動給湯装置を提供する。【解決手段】  風呂自動運転で、通常は両搬送で浴槽１６にお湯を供給し、供給されるお湯の温度が風呂設定温度未満の状態で、且つ風呂ミキシング弁２７がお湯側全開である状態が所定時間継続した時、浴槽１６に風呂設定温度のお湯を両搬送で供給できないと判断し、お湯の供給を片搬送で行うので、お湯の供給完了後の浴槽１６内のお湯の風呂設定温度に上げるための沸き上げ運転を短時間にして沸き上げ運転中の風呂循環ポンプ２１の電力消費を抑えることができる。【選択図】図２
2009210203.tif 000002
【特許請求の範囲】
【請求項１】
上水道等の水を供給する給水管と、該給水管から水が供給される貯湯缶体と、該貯湯缶体内の水を加熱する加熱手段と、給水管からの低温水と貯湯缶体からの高温水を給湯ミキシング弁にて混合して給湯設定温度の温水にして給湯管から給湯する給湯回路と、貯湯缶体内の風呂用熱交換器と浴槽内とを風呂戻り管と風呂往き管とで接続し、浴槽内の浴槽水を風呂循環ポンプにて貯湯缶体内の風呂用熱交換器に強制循環させる風呂追い焚き回路と、給水管からの低温水と貯湯缶体からの高温水を風呂ミキシング弁にて混合して風呂設定温度の温水にして浴槽に供給する風呂湯張り回路と、前記風呂用熱交換器の上流側に設けられ風呂バイパス管が接続された風呂三方弁と、前記給湯回路と風呂風呂追い焚き回路と風呂湯張り回路とを制御し、浴槽に温水を供給する時風呂三方弁を作動させることにより、風呂湯張り回路から供給されるお湯を風呂戻り管のみで浴槽に供給する片搬送と、風呂湯張り回路から供給されるお湯を風呂戻り管と風呂往き管とで浴槽に供給する両搬送とに切り替える制御部とを備えた風呂自動給湯装置に於いて、前記制御部は、浴槽に温水供給している時、浴槽に供給されるお湯の温度が風呂設定温度以上の状態か、叉は風呂ミキシング弁がお湯側全開でない状態のどちらかの状態が所定時間継続した時両搬送で浴槽に温水供給し、浴槽に供給されるお湯の温度が風呂設定温度未満の状態で、且つ風呂ミキシング弁がお湯側全開である状態が所定時間継続した時片搬送で浴槽に温水供給することを特徴とする風呂自動給湯装置。
【請求項２】
前記制御部は、片搬送で浴槽に温水供給した状態で更に浴槽に供給されるお湯の温度が風呂設定温度未満の状態で、且つ風呂ミキシング弁がお湯側全開である状態が所定時間継続した時に給湯運転が同時に行われていた時、給湯運転が終了するまで浴槽に温水供給するのを停止すると共に、給湯運転終了後貯湯缶体内の水の温度を検知し、貯湯缶体内の水の温度が所定温度未満の時貯湯缶体内の水を所定温度まで加熱し、貯湯缶体内の水の温度が所定温度以上になったら浴槽に温水供給するのを再開することを特徴とする請求項１記載の風呂自動給湯装置。
【請求項３】
前記制御部は、片搬送で浴槽に温水供給した状態で更に浴槽に供給されるお湯の温度が風呂設定温度未満の状態で、且つ風呂ミキシング弁がお湯側全開である状態が所定時間継続した時に給湯運転が同時に行われていなかった時、一旦浴槽に温水供給するのを停止すると共に、貯湯缶体内の水の温度を検知して所定温度未満の時は所定温度まで加熱し、貯湯缶体内の水の温度が所定温度に達していた時は、貯湯缶体内の水を所定温度より高い第２の所定温度まで加熱して、それから浴槽に温水供給するのを再開することを特徴とする請求項１記載の風呂自動給湯装置。
【発明の詳細な説明】
【技術分野】
【０００１】
この発明は、貯湯式の風呂自動給湯装置に関するものである。
【背景技術】
【０００２】
従来よりこの種のものに於いは、例えば、貯湯式缶体を備え、該貯湯式缶体からの温水に対して上水道からの水を適当に混水し、風呂設定温度に調節して浴槽に自動給湯する風呂自動給湯装置があり、浴槽に給湯する風呂自動給湯路として、途中に開閉弁、流量センサ、２つの逆流防止弁を介して風呂追い焚き加熱用の循環路のバイパス路に接続されており、前記開閉弁が開かれることで、風呂自動給湯路からの温水はバイパス路に流れ込み、循環往き路を通って浴槽内に片搬送にて設定水位まで導入され、また三方切り換え弁をバイパス側と接続することで循環戻し路も利用して、両搬送で浴槽内に設定水位まで導入されるものが提供されている。
【０００３】
そしてこの従来の風呂自動給湯装置における風呂自動給湯は、貯湯缶体内の温水温度については常に一定の高温、例えば７０℃に設定した状態を保持し、その一定温度にされた高温の貯湯缶体の温水を風呂自動給湯路に供給し、一方、前記風呂自動給湯路に混水する水の流量を混水流量調節器で調節することで、風呂自動給湯温度を所定の風呂設定温度に調節するようになっている。
そして浴槽の湯が低下した場合には、浴槽の湯を取り出し、再び浴槽に戻す循環路の途中で、貯湯缶体の温水との間で熱交換することにより追い焚き加熱を行うようにしたものである。
【０００４】
ところで上記のような風呂自動給湯装置において、夏場等上水道からの水の温度が高温の場合、混水流量調節器による混水量を風呂自動給湯運転開始時に最大としても、混水される水の温度が高温なため、実際の風呂自動給湯温度が風呂設定温度を超えた状態のままになり、風呂自動給湯温度を風呂設定温度に調節することができなくなってしまう。
【０００５】
そこで、風呂自動給湯運転の開始して混水流量調節器を水側全開にしても、風呂自動給湯温度が風呂設定温度を超える時、貯湯缶体の設定温度を一定温度下げると共に、風呂自動給湯運転終了後に低下させた前記貯湯缶体の設定温度を元の設定温度に戻すようにして、缶体設定温度が下がった状態のままで追い焚きが行われることによって、風呂設定温度まで焚き上げるのに長時間を要するということがなく、可及的速やかに追い焚きを行うことができるものがある。（例えば、特許文献１参照）
【特許文献１】特許登録３４６７７６３号公報
【発明の開示】
【発明が解決しようとする課題】
【０００６】
ところでこの従来の風呂自動給湯装置では、夏場等上水道からの水の温度が高温の状態とは逆に、冬場等上水道からの水の温度が低温の状態で、両搬送で風呂自動給湯運転をおこなった場合、混水流量調節器による混水量を風呂自動給湯運転開始時に最小としても、混水される水の温度が低温なため、実際の風呂自動給湯温度が風呂設定温度よりも低い状態のままになり、風呂自動給湯温度を風呂設定温度に調節することができなくなってしまったすることがあった。
【０００７】
また、夏場以外の季節で上水道からの水の温度が高温とまではならない状態で、両搬送で風呂自動給湯運転中に給湯が同時に行われた場合、風呂自動給湯運転中に給湯が同時に行われたことにより、缶体からの温水が一般給湯にも使用されて、風呂自動給湯運転に使用される温水が少ないまま両搬送での給湯量を得るために低温の水の割合が多くなって、結果として実際の風呂自動給湯温度が風呂設定温度よりも低い状態のままになり、風呂自動給湯温度を風呂設定温度に調節することができなくなってしまったりすることがあった。
【課題を解決するための手段】
【０００８】
この発明はこの点に着目し上記課題を解決する為、特にその構成を請求項１では、上水道等の水を供給する給水管と、該給水管から水が供給される貯湯缶体と、該貯湯缶体内の水を加熱する加熱手段と、給水管からの低温水と貯湯缶体からの高温水を給湯ミキシング弁にて混合して給湯設定温度の温水にして給湯管から給湯する給湯回路と、貯湯缶体内の風呂用熱交換器と浴槽内とを風呂戻り管と風呂往き管とで接続し、浴槽内の浴槽水を風呂循環ポンプにて貯湯缶体内の風呂用熱交換器に強制循環させる風呂追い焚き回路と、給水管からの低温水と貯湯缶体からの高温水を風呂ミキシング弁にて混合して風呂設定温度の温水にして浴槽に供給する風呂湯張り回路と、前記風呂用熱交換器の上流側に設けられ風呂バイパス管が接続された風呂三方弁と、前記給湯回路と風呂風呂追い焚き回路と風呂湯張り回路とを制御し、浴槽に温水を供給する時風呂三方弁を作動させることにより、風呂湯張り回路から供給されるお湯を風呂戻り管のみで浴槽に供給する片搬送と、風呂湯張り回路から供給されるお湯を風呂戻り管と風呂往き管とで浴槽に供給する両搬送とに切り替える制御部とを備えた風呂自動給湯装置に於いて、前記制御部は、浴槽に温水供給している時、浴槽に供給されるお湯の温度が風呂設定温度以上の状態か、叉は風呂ミキシング弁がお湯側全開でない状態のどちらかの状態が所定時間継続した時両搬送で浴槽に温水供給し、浴槽に供給されるお湯の温度が風呂設定温度未満の状態で、且つ風呂ミキシング弁がお湯側全開である状態が所定時間継続した時片搬送で浴槽に温水供給するものである。
【０００９】
又請求項２に係る風呂自動給湯装置では、特にその構成を請求項１の風呂自動給湯装置において、前記制御部は、片搬送で浴槽に温水供給した状態で更に浴槽に供給されるお湯の温度が風呂設定温度未満の状態で、且つ風呂ミキシング弁がお湯側全開である状態が所定時間継続した時に給湯運転が同時に行われていた時、給湯運転が終了するまで浴槽に温水供給するのを停止すると共に、給湯運転終了後貯湯缶体内の水の温度を検知し、貯湯缶体内の水の温度が所定温度未満の時貯湯缶体内の水を所定温度まで加熱し、貯湯缶体内の水の温度が所定温度以上になったら浴槽に温水供給するのを再開するものである。
【００１０】
又請求項３に係る風呂自動給湯装置では、特にその構成を請求項１の風呂自動給湯装置において、前記制御部は、片搬送で浴槽に温水供給した状態で更に浴槽に供給されるお湯の温度が風呂設定温度未満の状態で、且つ風呂ミキシング弁がお湯側全開である状態が所定時間継続した時に給湯運転が同時に行われていなかった時、一旦浴槽に温水供給するのを停止すると共に、貯湯缶体内の水の温度を検知して所定温度未満の時は所定温度まで加熱し、貯湯缶体内の水の温度が所定温度に達していた時は、貯湯缶体内の水を所定温度より高い第２の所定温度まで加熱して、それから浴槽に温水供給するのを再開するものである。
【発明の効果】
【００１１】
この発明の請求項１によれば、浴槽に温水供給している時、浴槽に供給されるお湯の温度が風呂設定温度以上の状態か、叉は風呂ミキシング弁がお湯側全開でない状態のどちらかの状態が所定時間継続した時両搬送で浴槽に温水供給し、浴槽に供給されるお湯の温度が風呂設定温度未満の状態で、且つ風呂ミキシング弁がお湯側全開である状態が所定時間継続した時片搬送で浴槽に温水供給するので、浴槽に供給されるお湯の温度が風呂設定温度以上の状態か、叉は風呂ミキシング弁がお湯側全開でない状態のどちらかの状態が所定時間継続したら、風呂設定温度のお湯を両搬送で供給できると判断して、両搬送で供給することで風呂自動運転を短時間で完了させることができ、浴槽に供給されるお湯の温度が風呂設定温度未満の状態で、且つ風呂ミキシング弁がお湯側全開である状態が所定時間継続したら、風呂設定温度のお湯を両搬送で供給できないと判断して、片搬送で供給することで湯張り完了後の浴槽内のお湯の風呂設定温度に上げるための沸き上げ運転を短時間にすることができ、沸き上げ運転中動作する風呂循環ポンプの動作時間を短くして、風呂循環ポンプによる電力消費を抑えることができるものである。
【００１２】
又本発明の請求項２に記載の風呂自動給湯装置によれば、請求項１の風呂自動給湯装置に於いて、前記制御部は、片搬送で浴槽に温水供給した状態で更に浴槽に供給されるお湯の温度が風呂設定温度未満の状態で、且つ風呂ミキシング弁がお湯側全開である状態が所定時間継続した時に給湯運転が同時に行われていた時、給湯運転が終了するまで浴槽に温水供給するのを停止すると共に、給湯運転終了後貯湯缶体内の水の温度を検知し、貯湯缶体内の水の温度が所定温度未満の時貯湯缶体内の水を所定温度まで加熱し、貯湯缶体内の水の温度が所定温度以上になったら浴槽に温水供給するのを再開するので、給湯運転に支障をきたすことなく、浴槽へ風呂設定温度未満のお湯が供給されて浴槽へのお湯の供給完了後の浴槽内のお湯の風呂設定温度に上げるための沸き上げ運転が長時間になることを防止することができ、それにより沸き上げ運転中動作する風呂循環ポンプの動作時間を短くして、風呂循環ポンプによる電力消費を抑えることができるものである。
【００１３】
又本発明の請求項３に記載の風呂自動給湯装置によれば、請求項１の風呂自動給湯装置に於いて、前記制御部は、片搬送で浴槽に温水供給した状態で更に浴槽に供給されるお湯の温度が風呂設定温度未満の状態で、且つ風呂ミキシング弁がお湯側全開である状態が所定時間継続した時に給湯運転が同時に行われていなかった時、一旦浴槽に温水供給するのを停止すると共に、貯湯缶体内の水の温度を検知して所定温度未満の時は、貯湯缶体内の水を所定温度まで加熱し、貯湯缶体内の水の温度を検知して所定温度に達していた時は、貯湯缶体内の水を所定温度より高い第２の所定温度まで加熱して、それから浴槽に温水供給するのを再開するので、例えば浴槽への温水供給時に短時間に大量の給湯運転が行われて貯湯缶体内の水の温度が急激に低下した時、一旦浴槽への温水供給を停止することで浴槽へ風呂設定温度未満のお湯が供給されるのを防止し、それにより浴槽へのお湯の供給完了後の浴槽内のお湯の風呂設定温度に上げるための沸き上げ運転が長時間になることを防止することができ、沸き上げ運転中動作する風呂循環ポンプの動作時間を短くして、風呂循環ポンプによる電力消費を抑えることができるものである。
【００１４】
更に風呂設定温度が高くて貯湯缶体内の水の温度が所定温度でも浴槽へ風呂設定温度未満のお湯が供給される時、一旦浴槽への温水供給を停止して貯湯缶体内の水を加熱して所定温度より高い第２の所定温度に達してから浴槽への温水供給を再開するので、風呂設定温度が高いために浴槽へ風呂設定温度未満のお湯が供給されて、浴槽へのお湯の供給完了後の浴槽内のお湯の風呂設定温度に上げるための沸き上げ運転が長時間になることを防止することができ、それにより沸き上げ運転中動作する風呂循環ポンプの動作時間を短くして、風呂循環ポンプによる電力消費を抑えることができるものである。
【発明を実施するための最良の形態】
【００１５】
次に、本発明に係る発明の一実施形態を図面に基づいて説明する。
１は貯湯式の風呂自動給湯装置で、加熱手段として石油バーナ等のバーナ部２により燃焼室３内で燃焼を行い、その燃焼ガスによって貯湯缶体４内の水を加熱するもので、缶体サーミスタ５にて貯湯缶体４内の温水の温度を検知し、その温度が所定の温度になるまで燃焼ガスによって貯湯缶体４内の水を加熱するものである。
そしてこの風呂自動給湯装置は、給湯回路６と、風呂追い焚き回路７と風呂湯張り回路８とからなる風呂回路９を備えたものである。
【００１６】
まず、給湯回路６について説明すると、１０は上水道等からの水を供給する給水管、１１は給水の温度を検出する給水サーミスタから成る給水温度センサ、１２は給湯管、１３は給湯管１２から給湯される温水の湯温を検出する給湯サーミスタ、１４は貯湯缶体４内の高温水を供給する出湯管、１５は出湯管１４からの高温の湯と給水管１０からの低温の水とを混合して給湯設定温度に調整して給湯管１２に供給する給湯ミキシング弁である。
【００１７】
次に、風呂回路９について説明すると、まず風呂追焚き回路７は、１６は浴槽、１７は浴槽に備えられた循環金具、１８は貯湯缶体４内に設けられ、貯湯缶体４内の高温水により熱交換して浴槽水を加熱する風呂用熱交換器、１９は循環金具１７と風呂用熱交換器１８の上流側とを接続する風呂戻り管、２０は循環金具１７と風呂用熱交換器１８の下流側とを接続する風呂往き管、２１は風呂戻り管１９に設けられ浴槽１６内の湯を強制循環させる風呂循環ポンプ、２２は循環する浴槽水の温度を検出する風呂サーミスタ、２３は浴槽水の循環の有無を検出する流水スイッチ、２４は浴槽１６内の水位を圧力によって検出する圧力センサから成る水位センサ、２５は前記風呂用熱交換器１８の上流側に設けられ風呂バイパス管２６が接続された風呂三方弁である。
【００１８】
次に、風呂湯張り回路８について説明すると、２７は出湯管１４からの高温の湯と給水管１０からの低温の水とを混合して風呂設定温度に調整して供給する風呂ミキシング弁、２８は一端が風呂三方弁２４と浴槽１６に設けられた循環金具２間の風呂戻り管１９に接続され、風呂ミキシング弁２７にて風呂設定温度に調整された温水を供給する風呂湯張り管である。
【００１９】
２９は前記風呂湯張り管２８に設けられたホッパーで、風呂湯張り管２８を開閉する風呂湯張り電磁弁３０と、風呂湯張り管２８を通過する流量を検出する湯張りフローセンサ３１と、浴槽水の給湯回路６への逆流を防止するために二重に設けられた逆止弁３２と、該逆止弁３２が故障して浴槽水が逆流した場合、その逆流した浴槽水給湯回路６に逆流する前に風呂湯張り管２８から管外に排出する逆流水開放弁３３からなるものである。
【００２０】
次に、３４はマイクロコンピュータより構成されこの風呂自動給湯装置１の制御を行う制御部で、３５は前記制御部３４に接続されて風呂自動給湯装置１の操作指示を行うリモコンで、風呂自動スイッチ３６や風呂設定温度変更スイッチ３７、設定湯張り量変更スイッチ３８、追い焚きスイッチ３９などの各種操作スイッチと表示器４０とが設けられているものである。
【００２１】
次にこの発明一実施例の風呂自動運転の作動を図２に示すフローチャートにしたがって説明する。
まず風呂自動スイッチ３６をＯＮすると、風呂自動運転が開始され（Ｓ１）、浴槽１６内への湯張りが両搬送で行われるように風呂三方弁２５が作動する。
この両搬送とは、風呂湯張り管２７から風呂戻り管１９に供給されたお湯の一部が、風呂戻り管１９から浴槽１６の循環金具１７へ供給されると共に、風呂湯張り管２７から風呂戻り管１９に供給されたお湯の一部が、風呂三方弁２５と風呂往き管２０とを接続する風呂バイパス管２６を通過して風呂往き管２０から浴槽１６の循環金具１７へ供給されるものである。
【００２２】
そして次に風呂湯張り管２８から風呂戻り管１９に風呂循環ポンプ２１のための呼び水を注湯し（Ｓ３）、注湯が終了したら風呂三方弁２５を風呂追い焚き運転となる状態にして（Ｓ４）、水位センサ２４により浴槽１６内の水位を検出する。（Ｓ５）
【００２３】
そして（Ｓ５）の検出値により浴槽１６内に所定量以上の残り湯がないと判断すると（Ｓ６）、浴槽１６内への湯張りが両搬送で行われるように風呂三方弁２５を作動させ（Ｓ７）、次に風呂ミキシング弁２７を動作させると共に（Ｓ８）、風呂湯張り電磁弁３０を開き（Ｓ９）、風呂サーミスタ２２で風呂戻り管１９から浴槽１６に供給されるお湯の温度を検知しながら、浴槽１６に供給されるお湯の温度が風呂設定温度になるように、出湯管１４からの高温の湯と給水管１０からの低温の水とを混合して風呂設定温度に調整して浴槽１６に供給する。
【００２４】
この時、風呂サーミスタ２２で検知した浴槽１６に供給されるお湯の温度が風呂設定温度未満の時（Ｓ１０）、風呂ミキシング弁２７がお湯側全開の状態であるか確認し（Ｓ１１）、お湯側全開の状態の時、その状態が所定時間継続するか確認し（Ｓ１２）、その状態が所定時間継続したら現状の両搬送の供給量で風呂設定温度のお湯を浴槽１６に供給できないと判断して、浴槽１６内への湯張りが風呂戻り管１９のみで行う片搬送で行われるように風呂三方弁２５を作動させ（Ｓ１３）、浴槽１６内へのお湯の供給量を少なくした状態で風呂の湯張りを継続する。（Ｓ１４）
【００２５】
また（Ｓ１０）で、風呂サーミスタ２２で検知した浴槽１６に供給されるお湯の温度が風呂設定温度以上の時、その状態が所定時間継続するか確認し（Ｓ１５）、その状態が所定時間継続したら両搬送の供給量で風呂設定温度のお湯を浴槽１６に供給できると判断して、風呂三方弁２５の状態を浴槽１６内への湯張りが風呂戻り管１９と風呂往き管２０とで行う両搬送で行われる状態とし（Ｓ１６）、浴槽１６内へのお湯の供給量を多くした状態で風呂の湯張りを継続する。（Ｓ１４）
【００２６】
また（Ｓ１１）で、風呂ミキシング弁２７がお湯側全開の状態でない時、その状態が所定時間継続するか確認し（Ｓ１５）、その状態が所定時間継続したら、まだ風呂ミキシング弁２７で高温のお湯の比率を高くして浴槽１６に供給されるお湯の温度を上げて、風呂設定温度のお湯を浴槽１６に供給できると判断して、風呂三方弁２５の状態を浴槽１６内への湯張りが風呂戻り管１９と風呂往き管２０とで行う両搬送で行われる状態とし（Ｓ１６）、浴槽１６内へのお湯の供給量を多くした状態で風呂の湯張りを継続するものである。（Ｓ１４）
【００２７】
また（Ｓ１２）で、風呂ミキシング弁２７のお湯側全開の状態が所定時間継続しなかった時、まだ風呂ミキシング弁２７をお湯側全開の状態にすれば、風呂設定温度のお湯を浴槽１６に供給できると判断して、現状の両搬送の状態で風呂の湯張りを継続するものである。（Ｓ１４）
【００２８】
そして（Ｓ１４）で、風呂の湯張りを継続しつつ、湯張りフローセンサ３１により検出した流量の累計が湯張りが完了となる所定流量に達した時、叉は水位センサ２４が検出した圧力が湯張りが完了となる所定圧力に達した時、湯張りが完了したと判断し（Ｓ１７）、風呂湯張り電磁弁３０を閉じ（Ｓ１８）、風呂三方弁２５を風呂追い焚き運転となる状態にして（Ｓ１９）、風呂循環ポンプ２１をオンして風呂沸き上げ運転を開始し（Ｓ２０）、風呂サーミスタ２２で検知した浴槽１６内のお湯の温度が風呂設定温度になるまで風呂沸き上げ運転を継続する。（Ｓ２１）
【００２９】
そして（Ｓ２１）で、風呂サーミスタ２２で検知した浴槽１６内のお湯の温度が風呂設定温度に達したら、リモコン３５の表示器４０で沸き上げ完了を報知し（Ｓ２２）、風呂循環ポンプ２１をオフし（Ｓ２３）、風呂自動運転を終了する。（Ｓ２４）
【００３０】
また（Ｓ６）で、浴槽１６内に所定量以上の残り湯があると判断すると、（Ｓ２０）に進んで、風呂循環ポンプ２１をオンして風呂沸き上げ運転を開始するものである。
【００３１】
以上のように風呂自動運転において、風呂サーミスタ２２で検知した浴槽１６に供給されるお湯の温度が風呂設定温度以上の状態か、叉は風呂ミキシング弁２７がお湯側全開でない状態のどちらかの状態が所定時間継続したら、浴槽１６に風呂設定温度のお湯を両搬送で供給できると判断して、両搬送で供給することで風呂自動運転を短時間で完了させることができ、風呂サーミスタ２２で検知した浴槽１６に供給されるお湯の温度が風呂設定温度未満の状態で、且つ風呂ミキシング弁２７がお湯側全開である状態が所定時間継続したら、浴槽１６に風呂設定温度のお湯を両搬送で供給できないと判断し、お湯の浴槽１６への供給を片搬送で行い、湯張りが完了するまでの時間は長くなるものの、浴槽１６へ供給するお湯の温度を出来る限り風呂設定温度に近づけてお湯を供給するため、お湯の供給完了後の浴槽１６内のお湯の風呂設定温度に上げるための沸き上げ運転を短時間にすることができ、沸き上げ運転中動作する風呂循環ポンプ２１の動作時間を短くして、風呂循環ポンプ２１による電力消費を抑えることができるものである。
【００３２】
次に他の実施形態について説明する。
図２にに基づいて説明した実施形態で、（Ｓ１０）で風呂サーミスタ２２で検知した浴槽１６に供給されるお湯の温度が風呂設定温度未満の状態であるため、次に（Ｓ１１）で風呂ミキシング弁２７がお湯側全開の状態であるか確認し、お湯側全開の状態の時（Ｓ１２）でその状態が所定時間継続するか確認して、その状態が所定時間継続したら、（Ｓ１３）で現状の両搬送の供給量で風呂設定温度のお湯を浴槽１６に供給できないと判断して、浴槽１６内への湯張りが風呂戻り管１９のみで行う片搬送で行われるように風呂三方弁２５を作動させるが、この（Ｓ１３）で浴槽１６内への湯張りが風呂戻り管１９のみで行う片搬送で行っても風呂サーミスタ２２で検知した浴槽１６に供給されるお湯の温度が風呂設定温度未満の状態が所定時間継続したら、片搬送の供給量でも風呂設定温度のお湯を浴槽１６に供給できないと判断し、その時給湯運転が同時に行われていた場合、
給湯運転が終了するまで浴槽１６に温水供給するのを停止すると共に、給湯運転終了後貯湯缶体４内の水の温度を検知し、貯湯缶体４内の水の温度が所定温度未満の時貯湯缶体４内の水を所定温度まで加熱し、貯湯缶体４内の水の温度が所定温度以上になったら浴槽１６に温水供給するのを再開するものである。
【００３３】
これにより給湯運転と浴槽１６への温水供給が同時に行われているために、浴槽１６に供給されるお湯の温度が風呂設定温度未満となる時は、一旦浴槽１６への温水供給を停止して給湯運転を優先するので、給湯運転に支障をきたすことなく、浴槽１６へ風呂設定温度未満のお湯が供給されて浴槽１６へのお湯の供給完了後の浴槽１６内のお湯の風呂設定温度に上げるための沸き上げ運転が長時間になることを防止することができ、それにより沸き上げ運転中動作する風呂循環ポンプ２１の動作時間を短くして、風呂循環ポンプ２１による電力消費を抑えることができるものである。
【００３４】
また、（Ｓ１３）で浴槽１６内への湯張りが風呂戻り管１９のみで行う片搬送で行っても風呂サーミスタ２２で検知した浴槽１６に供給されるお湯の温度が風呂設定温度未満の状態が所定時間継続したら、片搬送の供給量でも風呂設定温度のお湯を浴槽１６に供給できないと判断し、その時給湯運転が同時に行われていなかった場合、一旦浴槽１６に温水供給するのを停止すると共に、貯湯缶体４内の水の温度を検知して貯湯缶体４内の水の温度が所定温度未満の時は、貯湯缶体４内の水を所定温度まで加熱し、貯湯缶体４内の水の温度を検知して貯湯缶体４内の水の温度が所定温度に達していた時は、貯湯缶体４内の水を所定温度より高い第２の所定温度まで加熱して、それから浴槽１６に温水供給するのを再開するものである。
【００３５】
これにより例えば浴槽１６への温水供給時に短時間に大量の給湯運転が行われて貯湯缶体４内の水の温度が急激に低下した時、一旦浴槽１６への温水供給を停止して貯湯缶体４内の水を加熱して所定温度に達してから浴槽１６への温水供給を再開するので、浴槽１６へ風呂設定温度未満のお湯が供給されて浴槽１６へのお湯の供給完了後の浴槽１６内のお湯の風呂設定温度に上げるための沸き上げ運転が長時間になることを防止することができ、それにより沸き上げ運転中動作する風呂循環ポンプ２１の動作時間を短くして、風呂循環ポンプ２１による電力消費を抑えることができるものである。
【００３６】
また、風呂設定温度が高くて貯湯缶体４内の水の温度が所定温度でも浴槽１６へ風呂設定温度未満のお湯が供給される場合、一旦浴槽１６への温水供給を停止して貯湯缶体４内の水を加熱して所定温度より高い第２の所定温度に達してから浴槽１６への温水供給を再開するので、浴槽１６へ風呂設定温度未満のお湯が供給されて浴槽１６へのお湯の供給完了後の浴槽１６内のお湯の風呂設定温度に上げるための沸き上げ運転が長時間になることを防止することができ、それにより沸き上げ運転中動作する風呂循環ポンプ２１の動作時間を短くして、風呂循環ポンプ２１による電力消費を抑えることができるものである。
【図面の簡単な説明】
【００３７】
【図１】この発明の一実施例を付した風呂自動給湯装置を示す概略構成図。
【図２】同要部のフローチャート図。
【符号の説明】
【００３８】
２  加熱手段
４  貯湯缶体
６  給湯回路
７  風呂追い焚き回路
８  風呂湯張り回路
１０  給水管
１５  給湯ミキシング弁
１６  浴槽
１８  風呂用熱交換器
１９  風呂戻り管
２０  風呂往き管
２１  風呂循環ポンプ
２５  風呂三方弁
２６  風呂バイパス管
２７  風呂ミキシング弁
３４  制御部
【図１】
2009210203.tif 000003
【図２】
2009210203.tif 000004